(57)【要約】【課題】ホログラム記録用媒体の体積変化に伴うホログラム記録再生の不具合を適切に回避する。【解決手段】記録すべきデータを反映したデータビームと記録用参照ビームとを媒体へ入射させてホログラム記録を行うとともに、再生用参照ビームを記録用参照ビームと同一入射角で媒体へ入射させてホログラム再生を行うホログラム装置において、媒体には、記録用参照ビームの基準入射角、複数のステップ入射角夫々に対応した各テストデータが記録されるテスト領域を予め設定しておき、記録用参照ビームの入射角を基準入射角又は複数のステップ入射角のいずれか一つに順次設定するとともに各テストデータをテスト領域へと順次記録し、基準入射角と同一入射角の再生用参照ビームをテスト領域へと入射させて各テストデータを一括再生し、最大回折効率のものを選定し、選定されたテストデータに対応する基準入射角又は複数のステップ入射角のいずれか一つと基準入射角との差分に基づいて、記録用参照ビーム及び再生用参照ビームの入射角を補正する。【選択図】  図１
2007025399.tif 000002
【特許請求の範囲】
【請求項１】
記録すべきデータを反映した可干渉性のデータビームと、可干渉性の記録用参照ビームと、をホログラム記録用媒体へ入射させて干渉縞を形成すべくホログラム記録を行うとともに、可干渉性の再生用参照ビームを前記記録用参照ビームと同一入射角で前記ホログラム記録用媒体へ入射させて得られる回折光に基づいてホログラム再生を行うホログラム装置において、
前記ホログラム記録用媒体には、前記記録用参照ビームの基準入射角ならびに複数のステップ入射角夫々に対応した各テストデータが記録されるテスト領域を予め設定しておき、
前記記録用参照ビームの入射角を前記基準入射角又は前記複数のステップ入射角のいずれか一つに順次設定するとともに、当該順次設定される前記基準入射角又は前記複数のステップ入射角のいずれか一つに対応した前記各テストデータを前記テスト領域へと順次記録し、
前記基準入射角と同一入射角とする再生用参照ビームを前記テスト領域へと入射させることで前記順次記録された各テストデータ全てを一括再生し、
前記一括再生された前記各テストデータのうち最大回折効率のものを選定し、
前記選定されたテストデータに対応する前記基準入射角又は前記複数のステップ入射角のいずれか一つと、前記基準入射角と、の差分に基づいて、前記記録用参照ビーム又は前記再生用参照ビーム入射角を補正すること、を特徴とするホログラム装置。
【請求項２】
前記記録用参照ビーム及び前記再生用参照ビームは、傾き角を調整可能なミラーに反射された後に前記ホログラム記録用媒体へ入射されることとし、
前記ミラーの傾き角を調整するミラー制御部と、
前記ミラーの傾き角を順次調整することで前記記録用参照ビームの入射角を前記基準入射角又は前記複数のステップ入射角のいずれか一つに順次設定するとともに、当該順次設定される前記基準入射角又は前記複数のステップ入射角のいずれか一つに対応した前記各テストデータを前記テスト領域へと順次記録し、さらに、前記基準入射角と同一入射角とする再生用参照ビームを前記テスト領域へと入射させることで前記順次記録された各テストデータ全てを一括再生するシステム制御部と、
前記一括再生された前記各テストデータのうち最大回折効率のものを選定し、前記選定されたテストデータに対応した前記基準入射角又は前記複数のステップ入射角のいずれか一つと、前記基準入射角と、の差分に基づいて、前記ミラーの傾き角を補正するミラー傾き角補正部と、
を有することを特徴とする請求項１に記載のホログラム装置。
【請求項３】
前記テスト領域の最小単位は、ホログラム記録再生単位である１ページ分の所定領域を、前記基準入射角ならびに前記複数のステップ入射角毎に分割させたものであること、を特徴とする請求項１に記載のホログラム装置。
【請求項４】
前記データビームは、記録すべき２次元濃淡画像データが設定された空間光変調器に所定のレーザービームを入射させた際の反射光として得られることとし、
前記各テストデータは、前記２次元濃淡画像データ中における前記テスト領域に対応した複数の画素において、前記基準入射角又は前記複数のステップ入射角のいずれか一つに対応した一画素を明点を示すレベルに設定し且つその他の画素を暗点を示すレベルに設定したものであること、を特徴とする請求項１に記載のホログラム装置。
【請求項５】
前記最大回折効率は、前記各テストデータを一括再生する際に前記再生用参照ビームの光路上に配設されたイメージセンサに取り込まれたキャプチャ画像データにあって、当該キャプチャ画像データ中の前記テスト領域に対応した前記複数の画素のうち最も明るい明点を示す諧調レベルであること、を特徴とする請求項４に記載のホログラム装置。
【請求項６】
前記システム制御部は、ホログラム記録又はホログラム再生を開始する前に、前記ミラー傾き角補正部に対して前記補正を実行させるべく指示すること、を特徴とする請求項２に記載のホログラム装置。
【請求項７】
前記ミラーの傾き角の前回の補正量を記憶しておくメモリを有しており、
前記ミラー傾き角補正部は、
前記メモリから読み出した前記補正量をもとに、今回の前記ミラーの傾き角の補正を行うこと、を特徴とする請求項２に記載のホログラム装置。
【請求項８】
記録すべきデータを反映した可干渉性のデータビームと、可干渉性の記録用参照ビームと、をホログラム記録用媒体へ入射させて干渉縞を形成すべくホログラム記録を行うとともに、可干渉性の再生用参照ビームを前記記録用参照ビームと同一入射角で前記ホログラム記録用媒体へ入射させて得られる回折光に基づいてホログラム再生を行うホログラム装置のホログラム記録再生方法であって、
前記ホログラム記録用媒体には、前記記録用参照ビームの基準入射角ならびに複数のステップ入射角夫々に対応した各テストデータが記録されるテスト領域を予め設定しておき、
前記記録用参照ビームの入射角を前記基準入射角又は前記複数のステップ入射角のいずれか一つに順次設定するとともに、当該順次設定される前記基準入射角又は前記複数のステップ入射角のいずれか一つに対応した前記各テストデータを前記テスト領域へと順次記録し、
前記基準入射角と同一入射角とする再生用参照ビームを前記テスト領域へと入射させることで前記順次記録された各テストデータ全てを一括再生し、
前記一括再生された前記各テストデータのうち最大回折効率のものを選定し、
前記選定されたテストデータに対応する前記基準入射角又は前記複数のステップ入射角のいずれか一つと、前記基準入射角と、の差分に基づいて、前記記録用参照ビーム又は前記再生用参照ビーム入射角を補正すること、を特徴とするホログラム記録再生方法。
【発明の詳細な説明】
【技術分野】
【０００１】
本発明は、ホログラム装置及びそのホログラム記録再生方法。
【背景技術】
【０００２】
デジタルデータがホログラムとして記録されるホログラム記録用媒体としては、例えばガラス基板で光感受性樹脂（例えば、フォトポリマー）を封止して設けられたものがある。ホログラム記録用媒体にデジタルデータをホログラムとして記録させる場合、まず、レーザー装置からの可干渉性のレーザービームをＰＢＳ（Polarization Beam Splitter）にて２つのレーザービームに分離する。そして、一方のレーザービーム（以下、『参照ビーム』と称する。）と、デジタルデータが２次元濃淡画像パターンとして形成されたＳＬＭ（Spatial Light Modulator；空間光変調器）に他方のレーザービームを照射させることで当該２次元濃淡画像パターンの情報が反映されたレーザービーム（以下、『データビーム』と称する。）と、をホログラム記録用媒体に対して所定角度で入射させる。この結果、記録すべきデジタルデータがホログラム記録用媒体に記録される。
【０００３】
詳述すると、ホログラム記録用媒体を構成する光感受性樹脂は、有限数のモノマー（Monomer）を有し、参照ビームとデータビームとからなるレーザービーム（以下、レーザービームと略する）が照射されることにより、当該レーザービームの光量及び照射時間からなるエネルギーに応じてモノマーがポリマー（Polymer）に変化する。そして、このモノマーがポリマーに変化することにより、レーザービームのエネルギーに応じたポリマーからなる干渉縞が形成される。また、この干渉縞がホログラム記録用媒体中に形成されることで、デジタルデータがホログラムとして記録される。その後、残ったモノマーが、モノマーが消費された位置へ移動（拡散）し、さらに、レーザービームが照射されることによって、ポリマーへと変化する。なお、ホログラム記録用媒体中において、レーザービームのエネルギーに応じてモノマーがポリマーへと変化するときの様子を模式的に示した図を図９に示す。
【０００４】
また、ホログラム記録用媒体に記録させるデジタルデータが大量の場合、参照ビームのホログラム記録用媒体への入射角を変えることによって多数のホログラムを形成する、所謂角度多重記録を行うことが可能である。例えば、ホログラム記録用媒体へ形成された１つのホログラムをページと称し、多数のページからなる多重ホログラムをブックと称する。図１０は、角度多重記録におけるブックとページを模式的に示した図である。図１０に示すように、角度多重記録においては、１つのブックに対して、参照ビームの入射角を変えることによって、例えば１０ページのホログラムが形成される。このように、角度多重記録によって、大量のデジタルデータを記録できる。
【０００５】
また、ホログラム記録用媒体からデジタルデータを再生する場合、当該デジタルデータを示す干渉縞に、当該干渉縞が形成されたときと同じ入射角で参照ビームを入射し、当該干渉縞にて回折された参照ビーム（以下、再生ビームという）を、イメージセンサ等で受光する。イメージセンサ等で受光した再生ビームは、前述したデジタルデータを示す２次元濃淡画像パターンとなる。そして、２次元濃淡画像パターンからデジタルデータをデコーダ等で復号化することで、デジタルデータを再生できる。
【０００６】
なお、このように、ホログラム記録用媒体に対してホログラムの記録再生を行うホログラム記録再生装置としては、例えば、以下の特許文献１の図１に開示される。
【特許文献１】特開２００４−１７７９５８号公報
【発明の開示】
【発明が解決しようとする課題】
【０００７】
ところで、ホログラム記録用媒体としては、前述したように、レーザービームを入射させることによってその分子構造が変化する光感受性樹脂が主に採用される。この光感受性樹脂の分子構造が変化するという反応のため、ホログラム記録用媒体の体積が変化することが知られている。さらに、この体積変化は、ホログラム記録用媒体の特性や、レーザービームの光強度によっても変化することが知られている。そのため、ホログラム記録用媒体に記録されたホログラム（干渉縞）に対してホログラム記録時と同一入射角のレーザービームを入射させたとしても、正確にホログラム再生ができない恐れがある。図１０は、ホログラム記録用媒体の体積変化の一例として収縮の場合の様子を示したものである。
【０００８】
図１０において、入射面とは、レーザービームが入射される側のホログラム記録用媒体の一方の面のことであり、垂直方向とは、入射面を曲面とした場合における任意点での法線方向若しくはホログラム記録用媒体の短手方向のことであり、水平方向とは、前述の法線方向に対して垂直な方向であり且つホログラム記録用媒体の長手方向のことである。
【０００９】
ここで、水平方向では、ホログラム記録用媒体の収縮が分散されるため、それほどの形状変化はない。一方、垂直方向では、媒体の領域が限られているために収縮の分散が小さく、形状変化が大きくなる傾向にある。このような収縮が生じた場合、ホログラム記録用媒体内に記録された干渉縞の間隔はあまり変化しないが、干渉縞の配設角に変化が現れる。この干渉縞の配設角の変化は、ホログラム記録時のレーザービームの入射角と、ホログラム再生時のレーザービームの入射角と、の間にズレを生じさせることとなる。なお、図１０に示す例において、まず、収縮前では、垂直方向を基準として入射角θｒのレーザービームがホログラム記録用媒体に入射される場合であり、一方、収縮後では、垂直方向を基準として入射角θｓのレーザービームがホログラム記録用媒体に入射される場合である。
【００１０】
そこで、収縮後のホログラムを再生するためには、収縮によって変化した角度に補正したレーザービームを入射させる必要がある。このため、ホログラム記録用媒体に対して記録されたホログラムに対して、レーザービームの入射角を少しずつ変化させながらホログラム再生しつつ、レーザービームの適切な入射角を探索する方法が簡易且つ確実な方法として提案されている。しかし、この方法では、レーザービームの適切な入射角を探索できるまで、ホログラム再生を複数回行わなければならず、高速化も要請されるホログラム再生には不適切な方法である。
【課題を解決するための手段】
【００１１】
前述した課題を解決するための主たる本発明は、記録すべきデータを反映した可干渉性のデータビームと、可干渉性の記録用参照ビームと、をホログラム記録用媒体へ入射させて干渉縞を形成すべくホログラム記録を行うとともに、可干渉性の再生用参照ビームを前記記録用参照ビームと同一入射角で前記ホログラム記録用媒体へ入射させて得られる回折光に基づいてホログラム再生を行うホログラム装置において、前記ホログラム記録用媒体には、前記記録用参照ビームの基準入射角ならびに複数のステップ入射角夫々に対応した各テストデータが記録されるテスト領域を予め設定しておき、前記記録用参照ビームの入射角を前記基準入射角又は前記複数のステップ入射角のいずれか一つに順次設定するとともに、当該順次設定される前記基準入射角又は前記複数のステップ入射角のいずれか一つに対応した前記各テストデータを前記テスト領域へと順次記録し、前記基準入射角と同一入射角とする再生用参照ビームを前記テスト領域へと入射させることで前記順次記録された各テストデータ全てを一括再生し、前記一括再生された前記各テストデータのうち最大回折効率のものを選定し、前記選定されたテストデータに対応する前記基準入射角又は前記複数のステップ入射角のいずれか一つと、前記基準入射角と、の差分に基づいて、前記記録用参照ビーム又は前記再生用参照ビーム入射角を補正することとする。
【発明の効果】
【００１２】
本発明によれば、ホログラム記録用媒体の体積変化に伴うホログラム記録再生の不具合を適切に回避可能なホログラム装置及びそのホログラム記録再生方法を提供することができる。
【発明を実施するための最良の形態】
【００１３】
＜ホログラム装置の全体構成＞
図１をもとに、本発明の一実施形態に係るホログラム装置の構成について説明する。
【００１４】
ホログラム装置は、ＣＰＵ１、メモリ２、インタフェース３、接続端子４、バッファ５、再生・記録判別部６、エンコーダ７、マッピング処理部８、ＳＬＭ９、レーザー装置１０、第１シャッター１１、第１シャッター制御部１２、ＰＢＳ１３、第２シャッター１４、第２シャッター制御部１５、ガルボミラー１６、ガルボミラー制御部１７、ダイクロックミラー１８、サーボレーザー装置１９、スキャナレンズ２０、フーリエ変換レンズ２１、２６、ディテクタ２３、ディスク制御部２４、ディスク駆動部２５、イメージセンサ２７、イメージセンサ制御部２８、フィルタ２９、デコーダ３０、１／２波長板３１、ＤＳＰ３２、を有する。
【００１５】
インタフェース３は、接続端子４を介して接続されるホスト機器（パーソナルコンピュータ、ワークステーション等）と、ホログラム装置と、の間のデータ授受を行う。
【００１６】
バッファ５は、ホログラム記録用媒体２２に記録されているホログラムを再生するためのホスト機器からの再生指示データが記憶される。また、バッファ５は、ホスト機器からのビット列データをホログラム記録用媒体２２に記録させるための記録指示データが記憶される。更に、バッファ５は、ホログラム記録用媒体２２に記録させるビット列データが記憶される。
【００１７】
再生・記録判別部６は、バッファ５に再生指示信号又は記録指示信号が記録されているか否かを所定のタイミングで判別する。再生・記録判別部６は、バッファ５に再生指示データが記憶されていると判別すると、ホログラム装置にて再生処理を実行するための指示信号をＣＰＵ１に送信する。また、再生・記録判別部６は、バッファ５に記録指示データが記憶されていると判別すると、ホログラム装置にて記録処理を実行するための指示信号をＣＰＵ１に送信し、ホスト機器からのホログラム記録用媒体２２に記憶させるデータをエンコーダ７に送信させる。さらに、再生・記録判別部６は、ホログラム記録用媒体２２に記憶させるデータ量の情報をＣＰＵ１に送信する。
【００１８】
エンコーダ７は、まず、バッファ５から転送されたビット列データを、ＳＲＡＭやＤＲＡＭ等のエンコーダ７がアクセス可能なメモリ（不図示）へと記憶する。そして、エンコーダ７は、そのメモリに記憶されたビット列データに対して誤り訂正符号の付与等の符号化処理を施した後、マッピング処理部８へと供給する。ここで、符号化処理が施された単位ビット列データのことを、変調コードと称する。
【００１９】
マッピング処理部８は、エンコーダ７から供給された変調コードを、その配列パターンである変調画像データ（例えば、縦１２８０ビット×横１２８０ビット≒１．６メガビット）へと変換する。そして、マッピング処理部８は、その変調画像データをＳＬＭ９へと供給する。
【００２０】
ＳＬＭ９は、エンコーダ７より供給された変調画像データに基づいた２次元濃淡画像パターンを形成する。ここで、２次元濃淡画像パターンとは、例えば、変調画像データを構成する各ビットの一方のビット値（例えば、“１”）を明点（濃）に、他方のビット値（例えば、“０”）を暗点（淡）に設定したものである。なお、当該明点を反映したデータビームはモノマーを消費させる光強度を有し、当該暗点を反映したデータビームはモノマーの消費には至らない光強度を有する。
【００２１】
ここで、ＳＬＭ９は、例えば、約１．６メガビットの変調画像データを、縦１２８０ピクセル×横１２８０ピクセルのドットパターンとして表現する。また、ＳＬＭ９は、レーザー装置１０からのレーザービームが入射されるとフーリエ変換レンズ２１へと反射する。この反射されたレーザービームは、ＳＬＭ９にて形成された２次元濃淡画像パターンの情報が反映されたレーザービーム（以下、『データビーム』と称する。）となる。なお、図１に示すように、ＰＢＳ１３からの他方のレーザービームが直接的にＳＬＭ９に入射される場合に限定するものではない。例えば、第２シャッター１４とＳＬＭ９との光路上にＰＢＳ（不図示）を設けて、そのＰＢＳから分離したレーザービームがＳＬＭ９に入射される場合であってもよい。
【００２２】
レーザー装置１０は、時間的コヒーレンス、空間的コヒーレンスに優れた可干渉性のレーザービームを第１シャッター１１に出射する。レーザー装置１０としては、ホログラムをホログラム記録用媒体２２に形成すべく、例えば、ヘリウムネオンレーザー、アルゴンネオンレーザー、ヘリウムカドミウムレーザー、半導体レーザー、色素レーザー、ルビーレーザー等が用いられる。
【００２３】
ＣＰＵ１は、本発明に係る『システム制御部』の一実施形態である。ＣＰＵ１は、ホログラム装置全体（システム）を統括制御するものである。まず、ＣＰＵ１は、再生・記録判別部６からの記録指示データに基づく指示信号を受信すると、ホログラム記録用媒体２２に形成されているピットからアドレス情報を読出す。そして、ＣＰＵ１は、サーボレーザー装置１９からのレーザービーム（以下、『サーボレーザービーム』と称する。）を、次のアドレス情報を示すホログラム記録用媒体２２に設けられたピットに照射させるべく、ホログラム記録用媒体２２を回転させるための指示信号をディスク制御部２４に送信する。
【００２４】
また、ＣＰＵ１は、ガルボミラー制御部１７に対して、ガルボミラー１６の傾き角を調整させるための指示信号を送信する。また、ＣＰＵ１は、再生・記録判別部６からのデータ量の情報に基づいて、ホログラム記録用媒体２２に形成させるホログラムの数（つまり、ページ数）を算出する。また、ＣＰＵ１は、第１シャッター制御部１２、第２シャッター制御部１５に、第１シャッター１１、第２シャッター１４を夫々開状態とするための指示信号を送信する。この結果、ホログラム記録用媒体２２へのホログラム記録が開始される。そして、ＣＰＵ１は、記録指示データに基づく記録処理が終了した場合、第１シャッター制御部１２と第２シャッター制御部１５に対して、第１シャッター１１と第２シャッター１４を夫々閉状態とするための指示信号を送信する。この結果、ホログラム記録用媒体２２へのホログラム記録が終了する。
【００２５】
一方、ＣＰＵ１は、再生・記録判別部６からの再生指示データに基づく指示信号を受信すると、ホログラム記録用媒体２２に形成されている当該再生指示信号に応じたアドレス情報を示すピットに対して、サーボレーザー装置１９からのサーボレーザービームを照射させるべく、ホログラム記録用媒体２２を回転させるための指示信号をディスク制御部２４に送信する。
【００２６】
また、ＣＰＵ１は、再生指示データに基づく指示信号を受信すると、第１シャッター制御部１２に第１シャッター１１を開状態とするための指示信号を送信するとともに、第２シャッター制御部１５に第２シャッター１４を閉状態とするための指示信号を送信する。また、ＣＰＵ１は、ガルボミラー制御部１７に対して、ガルボミラー１６の傾き角を調整させるための指示信号を送信する。この結果、ホログラム記録用媒体２２からのホログラム再生が開始される。そして、ＣＰＵ１は、再生指示データに基づく再生処理において所定時間が経過したと判別すると、第１シャッター制御部１２に第１シャッター１１を閉状態とするための指示信号を送信する。この結果、ホログラム記録用媒体２２からのホログラム再生が終了する。なお、ＣＰＵ１は、ＤＳＰ３２からの判別結果に基づく信号より再生処理を終了する場合もある。
【００２７】
第１シャッター制御部１２は、ＣＰＵ１からの指示信号に基づいて、第１シャッター１１を開状態又は閉状態とするための制御を行う。また、第１シャッター制御部１２は、イメージセンサ制御部２８からの指示信号に基づいて、第１シャッター１１を閉状態とするための制御を行う。第１シャッター制御部１２は、第１シャッター１１を開状態とするとき、第１シャッター１１に開状態指示信号を送信する。また、第１シャッター制御部１２は、第１シャッター１１を閉状態とするとき、第１シャッター１１に閉状態指示信号を送信する。
【００２８】
第１シャッター１１は、第１シャッター制御部１２からの開状態指示信号に基づいて開状態となる。あるいは、第１シャッター１１は、第１シャッター制御部１２からの閉状態指示信号に基づいて閉状態となる。第１シャッター１１が閉状態となると、レーザー装置１０からのレーザービームの１／２波長板３１への入射が遮断されることとなる。
【００２９】
１／２波長板３１は、レーザー装置１０からのレーザービームがＰＢＳ１３へ入射される角度を定めるために、所定の傾きで設けられる。なお、１／２波長板３１の所定の傾きは、ＰＢＳ１３において２つのレーザービームに分離される割合を所望の割合とすべく、定められる。
【００３０】
ＰＢＳ１３は、１／２波長板３１からのレーザービームを２つのレーザービームに分離する。ＰＢＳ１３にて分離された一方のレーザービームは、第２シャッター１４に入射される。また、他方のレーザービーム（以下、『参照ビーム』と称する。）は、ガルボミラー１６に入射される。
【００３１】
ガルボミラー１６は、本発明に係る『傾き角を調整可能なミラー』の一実施形態である。ガルボミラー１６は、ＰＢＳ１３からの参照ビームをダイクロックミラー１８へ反射する。
【００３２】
ガルボミラー制御部１７は、本発明に係る『ミラー制御部』の一実施形態である。ガルボミラー制御部１７は、ＣＰＵ１からの指示信号に基づいて、ガルボミラー１６にて反射された参照ビームが、ダイクロックミラー１８やスキャナレンズ２０を介してホログラム記録用媒体２２に入射される角度を調整すべく、ガルボミラー１６の傾き角を調整する。ホログラム記録時において、ガルボミラー制御部１７によるガルボミラー１６の傾き角調整は、ホログラム記録用媒体２２に２次元濃淡画像パターンの情報をホログラムとして記録させるために行われる。
【００３３】
詳述すると、データビームと参照ビームがホログラム記録用媒体２２内で干渉されることにより三次元の干渉縞（ホログラム）が形成される。つまり、このホログラム記録用媒体２２にホログラムが形成されることによって、ＳＬＭ９で設定された２次元濃淡画像パターンの情報が記録されることとなる。また、ガルボミラー制御部１７は、ガルボミラー１６の傾き角を調整、すなわち、参照ビームのホログラム記録用媒体２２への入射角を調整することで、角度多重記録を可能としている。ここで、ホログラム記録用媒体２２に形成された１つのホログラムをページと称し、角度多重記録にて多数のページが重なって成る多重記録ホログラムをブックと称する。
【００３４】
また、ホログラム再生時において、ガルボミラー制御部１７は、ホログラム記録用媒体２２に形成されたホログラムに参照ビームを入射させるべく、ガルボミラー１６の傾き角を調整する。なお、ホログラム再生時のガルボミラー１６の傾き角調整は、ホログラム記録時の参照ビームと同一入射角で当該参照ビームをホログラムに入射させるべく実行される。
【００３５】
サーボレーザー装置１９は、ホログラム記録用媒体２２に設けられたピットを照射することによって、当該ピットが示すアドレス情報に基づいて、当該ホログラム記録用媒体２２に形成されたホログラムの位置を検出すべく、サーボレーザービームをダイクロックミラー１８に出射する。サーボレーザー装置１９から出射されるサーボレーザービームは、ホログラム記録用媒体２２に形成されたホログラムに影響ない所定波長のビームである。なお、本実施形態においては、レーザー装置１０から出射されるレーザービームに青色レーザービームを使用し、当該青色レーザービームよりも長い波長である赤色レーザービームをサーボレーザービームとして使用するものとする。
【００３６】
サーボレーザー装置１９からのサーボレーザービームの出射は、例えば、ホログラム装置が起動開始するとともにサーボレーザービームの出射を開始し、当該ホログラム装置が起動している間、サーボレーザービームを出射し続けるものである。しかし、サーボレーザー装置１９はサーボレーザービームを出射し続けるものとしているが、これに限定するものではない。例えば、ホログラム装置によるホログラム記録用媒体２２へのデータの記録時には、当該ホログラム記録用媒体２２は停止状態となる。そのため、サーボレーザービームのピットへの照射が必ずしも必要とされない期間では、サーボレーザー装置１９によるサーボレーザービームの照射を停止するようにしても良い。この結果、サーボレーザー装置１９のサーボレーザービームの出射に係る負荷を減じることができる。
【００３７】
ダイクロックミラー１８は、ガルボミラー１６にて反射された参照ビームを透過してスキャナレンズ２０へと入射させるものである。また、ダイクロックミラー１８は、サーボレーザー装置１９から出射されたサーボレーザービームを反射してスキャナレンズ２０へと入射させるものである。
【００３８】
スキャナレンズ２０は、ダイクロックミラー１８を介して入射されるガルボミラー制御部１７にて傾き角が調整されたガルボミラー１６からの参照ビームを、ホログラム記録用媒体２２に確実に照射させるべく当該参照ビームを屈折させる。また、スキャナレンズ２０は、ダイクロックミラー１８にて反射させたサーボレーザー装置１９からのサーボレーザービームを、ホログラム記録用媒体２２に入射させる。
【００３９】
第２シャッター制御部１５は、ＣＰＵ１からの指示信号に基づいて、第２シャッター１４を開状態又は閉状態とするための制御を行う。第２シャッター制御部１５は、第２シャッター１４を開状態とするとき、第２シャッター１４に開状態指示信号を送信する。また、第２シャッター制御部１５は、第２シャッター１４を閉状態とするとき、第２シャッター１４に閉状態指示信号を送信する。
【００４０】
第２シャッター１４は、第２シャッター制御部１５からの開状態指示信号に基づいて開状態となる。或いは、第２シャッター１４は、第２シャッター制御部１５からの閉状態指示信号に基づいて閉状態となる。第２シャッター１４が閉状態となると、ＰＢＳ１３にて分離された一方のレーザービームのＳＬＭ９への入射が遮断されることとなる。なお、第２シャッター１４は、ＳＬＭ９からフーリエ変換レンズ２１を介してホログラム記録用媒体２２へ入射されるデータビームの光路上に設けてもよい。
【００４１】
フーリエ変換レンズ２１は、ＳＬＭ９からのデータビームを集光しつつ、当該データビームに対してフーリエ変換処理を施した後にホログラム記録用媒体２２に入射させるものである。
【００４２】
ホログラム記録用媒体２２は、データをホログラムとして記憶可能な光感受性樹脂（例えば、フォトポリマー・銀塩乳剤・重クロム酸ゼラチン・フォトレジスト等）が用いられ、当該光感受性樹脂をガラス基板で封止して構成されている。ホログラム記録用媒体２２には、フーリエ変換レンズ２１からの２次元濃淡画像パターンを示すフーリエ変換されたデータビームと、スキャナレンズ２０からの参照ビームとの干渉からホログラムが形成される。そして、ホログラム記録用媒体２２は、ガルボミラー制御部１７によるガルボミラー１６の傾き角の調整が行われる。また、傾き角調整後のガルボミラー１６からの参照ビームとデータビームとの干渉によって角度多重記録が行われて、ブックが形成される。
【００４３】
また、ホログラム記録用媒体２２を構成するガラス基板には、例えば予めウォブル（Wobble）が形成されており、当該ホログラム記録用媒体２２に形成されるホログラムの位置を定めるためのアドレス情報が、ピットとして当該ウォブルに予め形成されている。そして、スキャナレンズ２０から入射されるサーボレーザー装置１９からのサーボレーザービームがアドレス情報を示すピットに照射される。アドレス情報を示すピットを照射した後のサーボレーザービームは、ディテクタ２３に入射される。
【００４４】
さらに、ホログラム記録用媒体２２は、ホログラム記録用媒体２２への記録時の参照ビームの基準入射角θｒならびに当該基準入射角θｒを挟んで設定される複数のステップ入射角（θｒ±ｎ・Δθ：但し、ｎは自然数）夫々に対応した各テスト用画像データが記録されるテスト領域が予め設定される。なお、前述したテスト領域ならびにテスト用画像データの詳細については後述する。
【００４５】
フーリエ変換レンズ２６は、ホログラム再生時において、ホログラム記録用媒体２２に対して参照ビームが入射された際に、ホログラム記録用媒体２２に記録されたホログラムによって回折されたビーム（以下、再生ビームという）が入射される。なお、ホログラム再生時の参照ビームの入射角は、その再生対象となるホログラム記録時の参照ビームの入射角と同一であることが要求される。そして、フーリエ変換レンズ２６は、逆フーリエ変換が施された再生ビームを、イメージセンサ２７へと出射する。
【００４６】
イメージセンサ２７は、フーリエ変換レンズ２６より逆フーリエ変換された再生ビームが入射される。イメージセンサ２７は、例えばＣＣＤセンサやＣＭＯＳセンサから構成されており、当該再生ビームからＳＬＭ９において設定された２次元濃淡画像パターンを再現させる。ここで、再現された２次元濃淡画像パターンのことを、キャプチャ画像パターンと称する。イメージセンサ２７は、イメージセンサ制御部２８からの指示信号に基づいて、キャプチャ画像パターンの明暗（濃淡）レベルを電気信号の強弱レベルへと変換する。そして、キャプチャ画像パターンの明暗の光量に応じたアナログ量の変調画像データをフィルタ２９へと供給する。なお、本実施形態において、イメージセンサ制御部２８においてイメージセンサ２７に所定の光量以上の再生ビームが照射された旨が判別された場合、イメージセンサ制御部２８は、第１シャッター制御部１２に第１シャッター１１を閉状態とするための指示信号を送信することとする。
【００４７】
また、本実施形態においては、ＳＬＭ９とイメージセンサ２７は、同一画像サイズ（例えば、１２８０ピクセル×１２８０ピクセル）のパターンを形成可能とする。なお、本実施形態においては、ＳＬＭ９とイメージセンサ２７は、同一画像サイズのパターンを形成可能とするがこれに限るものではない。例えば、イメージセンサ２７の画像サイズをＳＬＭ９の画像サイズより大きく設定してもよい。イメージセンサ２７の画像サイズをＳＬＭ９の画像サイズより大きく設定することによって、フーリエ変換レンズ２６からの再生ビームが、イメージセンサ２７に確実に照射されることとなり、ＳＬＭ９において設定された２次元濃淡画像パターンの再現を確実に行うことが可能となる。また、イメージセンサ制御部２８によるイメージセンサ２７の所定位置への移動処理が、高精度で要求されることを軽減することが可能となる。
【００４８】
フィルタ２９は、デコーダ３０による２値化処理の分離性を高めるべく、イメージセンサ２７から供給されたアナログ量の変調画像データに対してフィルタ処理を行う。つまり、イメージセンサ２７にて取り込まれたキャプチャ画像パターンは、データビームや再生ビーム等が受けるノイズなどにより、ＳＬＭ９において設定された２次元濃淡画像パターンと比較して、明点と暗点の分離性が悪化する場合がある。この場合、アナログ量の変調画像データが、明点を示すレベルであるか、暗点を示すレベルであるかをデコーダ３０にて適切に判別できず、２値化処理が適切に行われないこととなる。そこで、フィルタ２９は、自身のフィルタ処理として、アナログ量の変調画像データのレベル補正を行う。
【００４９】
なお、本実施形態においては、フィルタ２９とデコーダ３０の間に２値化処理部（不図示）が設けられ、フィルタ２９においてフィルタ処理が施された変調画像データの２値化処理が行われることとする。そして、２値化されたデジタル量の変調画像データが、デコーダ３０へと供給されるものとする。
【００５０】
デコーダ３０は、フィルタ２９からの変調画像データに対して誤り訂正等の復号化処理を行う。
【００５１】
ディテクタ２３は、サーボレーザー装置１９からのサーボレーザービームが、ホログラム記録用媒体２２に形成されたアドレス情報を示すピットを照射した後の当該サーボレーザービームが入射される。ディテクタ２３は、例えば、４分割フォトダイオードから構成され、当該４分割フォトダイオードが検出するサーボレーザービームの光量情報をディスク制御部２４に送信する。また、ディテクタ２３は、アドレス情報を示すピットを照射したサーボレーザービームに基づいて、当該アドレス情報をＣＰＵ１に送信する。
【００５２】
ディスク制御部２４は、ディテクタ２３からのサーボレーザービームの光量情報に基づいて、ディスク駆動部２５をサーボ制御する。また、ディスク制御部２４は、再生又は記録時において、ＣＰＵ１からの指示信号に基づいて、ホログラム記録用媒体２２の所望のアドレス情報を示すピットにサーボレーザービームを照射させるべく、ホログラム記録用媒体２２を回転させるための指示信号をディスク駆動部２５に送信する。また、ディスク制御部２４は、前述したブックがホログラム記録用媒体２２に形成されたとき、ホログラム記録用媒体２２のその他の位置にホログラムを形成させるべく、当該ホログラム記録用媒体２２を回転させるための指示信号をディスク駆動部２５に送信する。
【００５３】
メモリ２は、例えば、不揮発性メモリが採用され、ＣＰＵ１が前述した処理を行うためのプログラムデータが予め記憶される。また、メモリ２は、ホログラム記録用媒体２２に形成されているピットから読み出されたアドレス情報が記憶される。さらに、メモリ２は、ホログラム記録用媒体２２に予め定めておいた後述のテスト領域やテスト用画像データの情報と、ＤＳＰ３２によって一度補正されたガルボミラー１６の傾き角の補正量と、を記憶する。
【００５４】
ＤＳＰ（Digital Signal Processor）３２は、本発明に係る『ミラー傾き角補正部』の一実施形態である。すなわち、図１０に示したように、ホログラム記録用媒体２２の体積変化（収縮、膨張等）の前後において、記録時の参照ビーム（以下、記録用参照ビームと称する。）又は再生時の参照ビーム（以下、再生用参照ビームと称する。）の入射角のズレが発生する。ＤＳＰ３２は、その記録用参照ビーム又は再生用参照ビームの入射角のズレを補正すべく、ガルボミラー１６の傾き角を補正するものである。
【００５５】
なお、本発明に係る『ミラー傾き角補正部』は、ＤＳＰ３２に限定されず、ガルボミラー制御部１７に含めてもよいし、ＣＰＵ１に含めてもよい。また、ガルボミラー制御部１７は、ＣＰＵ１に含めてもよい。但し、重負荷のシステム制御を実行するＣＰＵ１の負荷を軽減するために、図１に示すように、ガルボミラー制御部１７やＤＳＰ３２を単独で設ける方が好適である。
【００５６】
＜テスト領域＞
図２は、本発明の一実施形態に係るテスト領域を説明する図である。  
まず、ホログラム記録用媒体において、同一領域で角度多重記録を可能とする１ブックが、合計１１ページで構成される場合とする。すなわち、１ブック中において、通常モードでは、１１基準入射角分（例えば、０．１°）の角度多重記録が可能な場合とする。なお、１ブックは、勿論、１１ページで限定されるものではなく、角度多重記録が可能な範囲内でのページ数である。また、１ページは、ホログラム記録再生単位である。
【００５７】
つぎに、ホログラム記録用媒体において、所定の１ブック中の０ページ目から１０ページ目のうち、中央の５ページ目をテスト領域の最小単位として予め定めておく。なお、テスト領域の最小単位は、所定の１ブック中の中央ページに限定されるものではなく、何ページ目であってもよい。さらに、テスト領域の最小単位は、１ページ構成に限定されず、複数ページで構成されてもよい。また、テスト領域の最小単位は、１ブック構成に限定されず、複数ブックで構成されてもよい。
【００５８】
そして、前述したテスト領域を、基準入射角θｒに応じたテスト用ホログラムが記録される区画領域（以下、区画領域θｒと称する。）と、その他複数のステップ入射角（θｒ±ｎ・Δθ）毎に応じたテスト用ホログラムが記録される区画領域（以下、区画領域（θｒ±ｎ・Δθ）と称する。）と、に分割させる。なお、図２に示す例では、「ｎ＝１〜５」の場合であり、区画領域（θｒ±ｎ・Δθ）は、区画領域θｒを中央に挟んで、正方向の区画領域（θｒ＋Δθ）、・・・、区画領域（θｒ＋５Δθ）と、負方向の区画領域（θｒ−Δθ）、・・・、区画領域（θｒ−５Δθ）と、によって構成される。なお、ｎの最大数は、前述した「５」に限定されるものではなく、テスト領域中で角度多重記録が可能な範囲で定められる。すなわち、Δθは、基準入射角を２ｎ分割した角度（例えば、０．０１°）に設定される。
【００５９】
ここで、図２に示したテスト領域を、例えば、１ブック中の各ページに、基準入射角θｒならびにステップ入射角（θｒ±ｎ・Δθ）夫々に応じたテスト用ホログラムが記録される場合、すなわち、通常の１ページ毎に各テスト用ホログラムが記録される場合と比較する。図２に示したテスト領域では、前述した比較例と対比して、テスト領域がホログラム記録再生単位の１ページ分で済むこととなる。このため、ホログラム記録用媒体２２中において、テスト領域として必要な領域を節約することが可能となる。
【００６０】
さらに、図２に示したテスト領域はホログラム記録再生単位の１ページで構成されるので、イメージセンサ２７において全てのテスト用ホログラムを一回の再生で取り込む、すなわち一括再生することが可能となる。よって、本発明に係るガルボミラー１６の傾き角補正処理において、テスト領域からのテスト用ホログラムの再生回数を必要最低限度の一回で済ませることが可能となる。
【００６１】
＜テスト用画像データ＞
図３は、本発明の一実施形態に係るテスト用ホログラムに応じたＳＬＭ９で設定されるテスト用画像データを示す図である。なお、テスト領域は、図２に示すように、区画領域θｒと、区画領域（θｒ±ｎ（１〜５）・Δθ）と、に１１分割された場合とする。また、テスト用画像データは、１１画素で構成された場合とする。テスト用画像データは、本発明に係る『テストデータ』の一実施形態である。
【００６２】
図３に示すように、区画領域（θｒ−５Δθ）に対応したテスト用画像データ（θｒ−５Δθ）としては、区画領域（θｒ−５Δθ）に対応する一画素を明点を示すレベル（“１”）とし、その他の１０画素を暗点を示すレベル（“０”）に設定したものとする。
【００６３】
区画領域（θｒ−４Δθ）に対応したテスト用画像データ（θｒ−４Δθ）としては、区画領域（θｒ−４Δθ）に対応する一画素を明点を示すレベル（“１”）とし、その他の１０画素を暗点を示すレベル（“０”）に設定したものとする。
【００６４】
区画領域（θｒ−３Δθ）に対応したテスト用画像データ（θｒ−３Δθ）としては、区画領域（θｒ−３Δθ）に対応する一画素を明点を示すレベル（“１”）とし、その他の１０画素を暗点を示すレベル（“０”）に設定したものとする。
【００６５】
区画領域（θｒ−２Δθ）に対応したテスト用画像データ（θｒ−２Δθ）としては、区画領域（θｒ−２Δθ）に対応する一画素を明点を示すレベル（“１”）とし、その他の１０画素を暗点を示すレベル（“０”）に設定したものとする。
【００６６】
また、図３に示した例以外にも、区画領域（θｒ−Δθｒ）から区画領域（θｒ＋５Δθ）までの合計７区画領域分のテスト用画像データが、同様に設定される。そして、これらのＳＬＭ９で設定される１１区画領域分のテスト用画像データが、ホログラム記録用媒体２２へと順番に記録されることとなり、最終的には、テスト領域の全ての区画領域において、明点を示すテスト用ホログラムが多重記録されることとなる。
【００６７】
このように、各テスト用ホログラムは、２次元濃淡画像データ中におけるテスト領域に対応した複数の画素にあって、基準入射角θｒ又は複数のステップ入射角（θｒ±ｎ・Δθ）のいずれか一つに対応した一画素を明点を示すレベルに設定し且つその他の画素を暗点を示すレベルに設定した当該２次元濃淡画像データに基づいて記録されるものとする。
【００６８】
この結果として、まず、ホログラム記録用媒体２２中のテスト領域以外の領域に無意味なホログラムが記録されることがなくなる。一方、テスト領域中の区画領域θｒ及び区画領域（θｒ±ｎ・Δθ）夫々には、明点を示すテスト用ホログラムが順番に記録されることとなる。よって、各テスト用ホログラムがテスト領域に順番に記録される際、モノマーの消費を必要最低限度に抑えることが可能となる。
【００６９】
なお、多重記録されたテスト領域中の各テスト用ホログラムは、ＣＰＵ１による再生時のシステム制御によって、イメージセンサ２７において一括再生される。なお、この一括再生の際に、例えば、テスト領域が図２に示したように１１ページ／１ブック中の５ページ目に相当する場合、５ページ目に応じた再生用参照ビームの基準入射角θｒが設定される。
【００７０】
図４は、イメージセンサ２７において一括再生されたテスト領域のキャプチャ画像データを示す図である。ホログラム記録用媒体２２の体積変化がなく理想的な場合、テスト領域中の区画領域θｒに相当する再生画素が、最大回折効率を有することとなる。しかしながら、ホログラム記録用媒体２２は、現実的には、分子構造の変化等に伴って体積変化するため、基準入射角θｒにズレが生じることとなる。よって、例えば、図４に示すように、テスト領域中の区画領域θｒに相当する再生画素ではなく、テスト領域中の区画領域（θｒ＋Δθ）に相当する再生画素が、最大回折効率を有することとなる。
【００７１】
ここで、図４に示したテスト領域のキャプチャ画像データの特性曲線を、図５に示す。特性曲線中の各ピークレベルは、テスト領域中の各区画領域の再生画素についての回折効率に相当するものである。図５において、テスト領域中の区画領域（θｒ＋Δθ）に相当する再生画素が、最大回折効率を有することとなる。よって、この場合、ホログラム記録用媒体２２の体積変化に伴って、基準入射角θｒから正方向へΔθ分ズレが生じたこととなる。そこで、ガルボミラー１６の傾き角を調整することによって、再生用参照ビームの入射角を基準入射角θｒから正方向へΔθ分ずらす補正処理を実行すれば、その後、適切なホログラム再生やホログラム記録が可能となるのである。
【００７２】
なお、最大回折効率は、各テスト用ホログラムを一括再生した際にイメージセンサ２７において取り込まれたキャプチャ画像データにあって、当該キャプチャ画像データ中におけるテスト領域に対応した複数の再生画素のうち最も明るい点を示す諧調レベルとして求められる。すなわち、回折効率という概念的なパラメータを、キャプチャ画像データ中の再生画素のうち最大諧調レベルを示すものとして、簡易且つ定量的に求めることができる。
【００７３】
＜ホログラム装置の動作＞
以下、本発明に係るホログラム装置によるガルボミラー１６の傾き角の補正処理の流れについて説明する。
【００７４】
＝＝＝テスト用ホログラムの記録＝＝＝
まず、図６のフローチャートをもとに、テスト用ホログラムの記録開始から記録終了までのホログラム装置の一連の動作について説明する。
【００７５】
ＣＰＵ１は、外部のホスト機器（不図示）からインタフェース３や再生・記録判別部６等を介して記録又は再生指示データに基づく指示信号を受信すると、ホログラム記録用媒体２２の回転動作や、サーボレーザービームによるホログラム記録用媒体２２のピットのトレース等によって、ホログラム記録用媒体２２のピットからアドレス情報の読出しを行う。このとき、読み出したアドレス情報から、ホログラム記録用媒体２２に予め設定されるテスト領域を特定する（Ｓ６００）。なお、テスト領域のアドレス情報が予め分かっている場合、メモリ２にテスト領域のアドレス情報を記憶しておき、メモリ２からテスト領域のアドレス情報を読み出すことで特定してもよい。
【００７６】
ＣＰＵ１は、テスト領域へのテスト用ホログラムの記録開始前に、ガルボミラー制御部１７によるガルボミラー１６の傾き角を調整して、テスト領域に対応した記録用参照ビームの基準入射角θｒを設定しておく（Ｓ６０１）。すなわち、ＣＰＵ１は、ガルボミラー制御部１７に対してガルボミラー１６の傾き角を基準入射角θｒに応じた角度へと調整させるための指示信号を送信しておく。この結果、ガルボミラー１６の傾き角は、基準入射角θｒに応じた角度へと調整される。また、ＣＰＵ１は、テスト領域へのテスト用ホログラムの記録開始前に、第１シャッター制御部１２、第２シャッター制御部１５に、第１シャッター１１、第２シャッター１４を夫々開状態とするための指示信号を送信しておく。この結果、第１シャッター１１、第２シャッター１４は夫々開状態となり、データビームと記録用参照ビームがホログラム記録用媒体２２に対して入射可能な状態となる。
【００７７】
ここで、説明の都合上、最小値−ＭＡＸ且つ最大値ＭＡＸとなる変数ｎを“−ＭＡＸ”に設定しておく（Ｓ６０２）。この場合、ＣＰＵ１は、メモリ２に予め記憶しておいた基準入射角θｒに対応するテスト用画像データ（θｒ＋ｎΔθ）、すなわちテスト用画像データ（θｒ−ＭＡＸ・Δθ）を、エンコーダ７やマッピング処理部８における処理を介して、ＳＬＭ９に設定する（Ｓ６０３）。この結果、テスト用画像データ（θｒ−ＭＡＸ・Δθ）を反映した所定入射角θｄのデータビームと、ステップ入射角（θｒ−ＭＡＸ・Δθ）に設定された記録用参照ビームと、がテスト領域に夫々入射される（Ｓ６０４）。すなわち、テスト領域に、テスト用画像データ（θｒ−ＭＡＸ・Δθ）に応じたテスト用ホログラムが記録されることとなる。
【００７８】
つぎに、現在の変数ｎはＭＡＸではないため（Ｓ６０５：ＮＯ）、変数ｎに対して“＋１”加算を行うインクリメントを実行する（Ｓ６０６）。ここで、変数ｎは“−ＭＡＸ＋１”に設定される。この場合、ＣＰＵ１は、メモリ２に予め記憶しておいたステップ入射角”（θｒ＋（−ＭＡＸ＋１）・Δθ）に対応するテスト用画像データ（θｒ＋（−ＭＡＸ＋１）・Δθ）を、エンコーダ７やマッピング処理部８における処理を介して、ＳＬＭ９に設定する（Ｓ６０３）。この結果、テスト用画像データ（θｒ＋（−ＭＡＸ＋１）・Δθ）を反映した所定入射角θｄのデータビームと、ステップ入射角（θｒ＋（−ＭＡＸ＋１）・Δθ）に設定された記録用参照ビームと、がテスト領域に夫々入射される（Ｓ６０４）。すなわち、テスト領域に、テスト用画像データ（θｒ＋（−ＭＡＸ＋１）・Δθ）に応じたテスト用ホログラムが記録されることとなる。
【００７９】
このように、Ｓ６０３からＳ６０６までの処理を、変数ｎがＭＡＸとなるまで（Ｓ６０５：ＹＥＳ）繰り返し実行することとなる。最終的には、テスト領域に、全てのテスト用画像データ（θｒ＋ＭＡＸ・Δθ、・・・、θｒ（基準入射角）、・・・、θｒ−ＭＡＸ・Δθ）に応じたテスト用ホログラムが記録されることとなる。
【００８０】
つぎに、図７のフローチャートをもとに、テスト用ホログラムの再生からガルボミラー１６の傾き角の補正がなされるまでのホログラム装置の一連の動作について説明する。
【００８１】
＝＝＝ガルボミラーの傾き角補正＝＝＝
まず、ＣＰＵ１は、前述したテスト用ホログラム記録開始時（Ｓ６００）と同様に、ホログラム記録用媒体２２のピットから読み出したアドレス情報をもとに、テスト用ホログラムが記録されるテスト領域を特定する（Ｓ７００）。また、ＣＰＵ１は、テスト領域からの全テスト用ホログラムの一括再生を開始する前に、ガルボミラー制御部１７によるガルボミラー１６の傾き角を調整し、テスト領域に対応した再生用参照ビームの基準入射角θｒを設定しておく（Ｓ７０１）。すなわち、ＣＰＵ１は、ガルボミラー制御部１７に対してガルボミラー１６の傾き角を基準入射角θｒに応じた角度へと調整させるための指示信号を送信しておく。この結果、ガルボミラー１６の傾き角は、基準入射角θｒに応じた角度へと調整される。
【００８２】
また、ＣＰＵ１は、テスト領域からの全テスト用ホログラムの一括再生を開始する前に、第１シャッター制御部１２には第１シャッター１１を開状態とし、第２シャッター制御部１５には第２シャッター１４を閉状態とするための指示信号を送信しておく。この結果、第１シャッター１１は開状態且つ第２シャッター１４は閉状態となり、再生用参照ビームのみがホログラム記録用媒体２２へと入射可能な状態となる。
【００８３】
ＣＰＵ１は、基準入射角θｒの再生用参照ビームを、ホログラム記録用媒体２２のテスト領域へと入射させる（Ｓ７０２）。この結果、ＣＰＵ１は、ホログラム記録用媒体２２のテスト領域から得られる回折光に基づいて、全テスト用ホログラムを一括再生する。このとき、イメージセンサ２７においてテスト領域に応じたキャプチャ画像データの取り込みが行われる（Ｓ７０３）。
【００８４】
ＤＳＰ３２は、ホログラム記録用媒体２２のテスト領域から一括再生された全テスト用ホログラムのうち最大回折効率のものを選定する。詳述すると、ＤＳＰ３２は、テスト領域に応じたキャプチャ画像データ中の再生画素のうち、最も明るい点を示す諧調レベルの再生画素Ｐｍａｘを選定する（Ｓ７０４）。
【００８５】
ＤＳＰ３２は、再生画素Ｐｍａｘに応じた基準入射角θｒ又は複数のステップ入射角（θｒ±ｎ・Δθ）のいずれか一つである入射角θｍａｘと、基準入射角θｒと、の差分（θｍａｘ−θｒ）を無くすべく、ガルボミラー制御部１７に対してガルボミラー１６の傾き角を補正させるための指示信号を送信する。この結果、ガルボミラー制御部１７によって、ホログラム記録用媒体２２の体積変化（収縮、膨張等）に応じたガルボミラー１６の傾き角の補正がなされたこととなる。
【００８６】
このように、ＤＳＰ３２によるガルボミラー１６の傾き角の補正によって、ホログラム記録用媒体２２の体積変化（収縮、膨張等）に応じたホログラム記録再生時の不具合を適切に回避することができる。さらに、ホログラム記録用媒体２２の体積変化に応じたガルボミラー１６の適切な傾き角を試行錯誤で探索する従来方式ではなく、ホログラム記録用媒体２２のテスト領域からの一回の再生で、ホログラム記録用媒体２２の体積変化に応じたガルボミラー１６の適切な傾き角を効率よく探索可能とする。このため、ホログラム記録再生処理の高速化に貢献できる。
【００８７】
なお、前述した実施形態において、ＣＰＵ１は、ＤＳＰ３２に対して、ホログラム記録又はホログラム再生を開始する前に、ホログラム記録用媒体２２の体積変化に応じたガルボミラー１６の傾き角の補正処理を実行させるための指示信号を送信する。一方、ＤＳＰ３２は、ＣＰＵ１から前述した指示信号を受信したとき、前述したガルボミラー１６の傾き角の補正処理の実行を開始する。すなわち、ホログラム記録又はホログラム再生が実施に開始される前に、必ず、ガルボミラー１６の傾き角の補正が行われることとする。この結果、ホログラム記録用媒体２２の体積変化に応じたホログラム記録再生の不具合を、定常的に回避することができる。
【００８８】
また、前述した実施形態において、次回のホログラム記録再生時のために、今回のガルボミラー１６の傾き角の補正量を再利用すべく、ＤＳＰ３２は、メモリ２に今回のガルボミラー１６の傾き角の補正量を記憶させてもよい。そして、ＤＳＰ３２は、次回のホログラム記録再生時において、メモリ２に予め記憶しておいた補正量を読み出して、その補正量をもとにガルボミラー制御部１７に対してガルボミラー１６の傾き角を補正させるための指示信号を送信する。この結果、ホログラム記録再生時に、テスト領域からテスト用ホログラムを逐次再生させる必要性がなくなり、ガルボミラー１６の傾き角を補正することができる。
【００８９】
以上、本発明の実施形態について説明したが、前述した実施形態は、本発明の理解を容易にするためのものであり、本発明を限定して解釈するためのものではない。本発明は、その趣旨を逸脱することなく変更／改良され得るとともに、本発明にはその等価物も含まれる。
【図面の簡単な説明】
【００９０】
【図１】本発明の一実施形態に係るホログラム装置の構成を示す図である。
【図２】本発明の一実施形態に係るテスト領域を示す図である。
【図３】本発明の一実施形態に係るテスト用ホログラムに応じたＳＬＭで設定されるテスト用画像データを示す図である。
【図４】本発明の一実施形態に係るイメージセンサにおいて一括再生されたテスト領域に対応するキャプチャ画像データを示す図である。
【図５】本発明の一実施形態に係るテスト領域に対応するキャプチャ画像データ中の再生画素と各回折効率との関係を示す図である。
【図６】本発明の一実施形態に係るホログラム装置の動作を説明するフローチャートである。
【図７】本発明の一実施形態に係るホログラム装置の動作を説明するフローチャートである。
【図８】ホログラム記録用媒体中においてモノマーがポリマーへと変化するときの様子を模式的に示した図である。
【図９】ホログラム記録用媒体の記録フォーマットを説明する図である。
【図１０】ホログラム記録用媒体の収縮に伴って生じる参照ビームの入射角のズレを説明する図である。
【符号の説明】
【００９１】
１      ＣＰＵ                    ２      メモリ
３      インタフェース            ４      接続端子
５      バッファ                  ６      再生・記録判別部
７      エンコーダ                ８      マッピング処理部
９      ＳＬＭ                    １０    レーザー装置
１１    第１シャッター            １２    第１シャッター制御部
１３    ＰＢＳ                    １４    第２シャッター
１５    第２シャッター制御部      １６    ガルボミラー
１７    ガルボミラー制御部        １８    ダイクロックミラー
１９    サーボレーザー装置        ２０    スキャナレンズ
２１、２６    フーリエ変換レンズ
２２    ホログラム記録用媒体      ２３    ディテクタ
２４    ディスク制御部            ２５    ディスク駆動部
２７    イメージセンサ            ２８    イメージセンサ制御部
２９    フィルタ                  ３０    デコーダ
３１    １／２波長板              ３２    ＤＳＰ
【図１】
2007025399.tif 000003
【図２】
2007025399.tif 000004
【図３】
2007025399.tif 000005
【図４】
2007025399.tif 000006
【図５】
2007025399.tif 000007
【図６】
2007025399.tif 000008
【図７】
2007025399.tif 000009
【図８】
2007025399.tif 000010
【図９】
2007025399.tif 000011
【図１０】
2007025399.tif 000012